【手続補正書】
【提出日】平成20年1月17日(2008.1.17)
【手続補正１】
【補正対象書類名】明細書
【補正対象項目名】全文
【補正方法】変更
【補正の内容】
【書類名】                明細書
【発明の名称】  たばこ加工産業における棒状物品のための閉じられたカートンを自動的に開きかつ空にするための方法および装置
【特許請求の範囲】
【請求項１】  たばこ加工産業における棒状物品のための閉じられたカートン（２）を自動的に開きかつ空にするための方法において、
以下の方法行程、即ち
−閉じられているカートン（２）をこのカートン（２）のための持上げ装置（１４）の収容部（２２）内に移しかえること、
−閉じられているカートン（２）を自動的に開くこと、
−開かれたカートン（２）を持上げ装置（１４）により持上げること、
−開かれたカートン（２）を持上げ装置（１４）から旋回枠体（６４）に引渡すこと、
そして
−開かれたカートン（２）をこのカートンを空にするため旋回枠体（６４）内で約１８０°旋回させることの
方法行程から成ることを特徴とする方法。
【請求項２】  閉じられているカートン（２）を持上げ装置（１４）の内に移しかえる以前に、閉じられているカートン（２）の列から単離する方法行程から成ることを特徴とする請求項１に記載の方法。
【請求項３】  カートン（２）が側方のフラップ（４８）を備えたカバー（３２）を有しており、このフラップ（４８）をカートン（２）が閉じられている際、以下の方法行程、即ち
−閉じられているカートン（２）を、カバー（３２）を自動的に開くことによって、開くこと
および
−カバー（３２）の開く際にカートンの側壁（５０）から引出されるフラップ（  ４８）を自動的に約１８０°旋回させる
方法行程により、このカートン（２）の側壁（５０）内に差し込むことを特徴とする請求項１或いは２に記載の方法。
【請求項４】  更なる以下の方法行程、即ち
−空になったカートン（２）を旋回枠体（６４）内で約１８０°旋回させて戻すこと、
および
−空になったこのカートン（２）を旋回枠体（６４）から起立した状態で取出し、排送す  る
方法行程から成ることを特徴とする請求項１から３までのいずれか一つに記載の方法。
【請求項５】  たばこ加工産業における棒状物品のための閉じられていてかつ開き部分（３２）を備えているカートン（２）を自動的に開くための装置において、
カートン（２）の開き部分（３２）を吸引しかつ開らくための、カートン（２）のための移送路に設けられているサクション装置（３４）が設けられていることを特徴とする装置。
【請求項６】  開き部分（３２）が一方の側においてその都度のカートン（２）と共に旋回可能に結合されているカバー（３２）である様式の、カートン（２）を開くための装置であって、サクション装置（３４）が、カバー（３２）をその閉じられた状態で捕捉している第一の位置から、このカバー（３２）を開くために、このカバー（３２）を保持する第二の位置に、捕捉されたカバー（３２）と共に約１８０°旋回可能であるように構成されていることを特徴とする請求項５に記載の装置。
【請求項７】  板ばね（４４，４６）として形成されている保持装置が、サクション装置（３４）の領域内において、カバー（３２）を第二の位置に保持するために、このカバー（３２）がこの第二の位置内においてこの位置に停留可能であるように設けられていることを特徴とする請求項６に記載の装置。
【請求項８】  カバー（３２）が側方のフラップ（４８）を備えており、これらのフラップ（４８）がカバー（３２）が閉じられている状態においてカートン（２）の側壁（５０）内に差込まれるように構成された装置であって、少なくとも一つの旋回レバー（５４）が設けられており、この旋回レバーがカバー（３２）が開かれている際にフラップ（４８）の少なくとも一つと接触し、これにより少なくとも一つのフラップ（４８）がカートン（２）から離間する方向で旋回するように構成されていることを特徴とする、請求項５或いは７に記載の装置。
【請求項９】  たばこ加工産業における棒状物品のための開かれているカートン（２）を空けるための装置において、カートン（２）を持上げるための持上げ装置（１４）、上記持上げ装置（１４）に設けられている少なくとも一つのカートン（２）のための収容部（２２）、カートン（２）を空けるための、持上げ装置（１４）により作動されるカートン（２）のための旋回枠体（６４）を備えていることを特徴とする装置。
【請求項１０】  たばこ加工産業における棒状物品のための閉じられているカートン（２）を自動的に開きかつ空にするための装置において、
この装置がカートン（２）のための移送装置に設けられていてかつカートンを吸引するためのサクション装置（３４）を備えていること、および
この装置が少なくとも一つのカートン（２）のためのこのカートン（２）を持上げるための持上装置（１４）に設けられている収容部（２２）とカートン（２）を空にするための持上装置（１４）によって作動する旋回枠（６４）とを備えていることを特徴とする装置。
【請求項１１】  持上げ装置（１４）が、この持上げ装置（１４）の収容部内に存在している少なくとも一つのカートン（２）のための、この持上げ装置（１４）の持上げ運動路に沿って設けられている側方の案内部（９０）を備えており、この案内部（９０）がその都度のカートン（２）に対してそれらの間隔で、これらの案内部が旋回レバー（５４）によって旋回された少なくとも一つのフラップ（４８）を、カートン（２）が持上げられている間、持上げ装置（１４）により、これらのフラップ（４８）が少なくともそれらの旋回レバー（５４）によって誘起される旋回の度合い維持するように、カートン（２）に押圧されるように設けられていることを特徴とする請求項１０に記載の装置。
【請求項１２】  閉じられているカートン（２）を収容部（２２）に供給するための供給コンベヤ（１０）を備えている装置であって、供給コンベヤ（１０）に、側方に設けられている少なくとも一つの第二のサクション装置（２４）とカートン（２）を捕捉するための少なくとも一つのセンサが設けられており、この第二のサクション装置（２４）がカートン（２）が捕捉される際に、センサにより後続しているカートン（２）を一時的に吸引するように構成されていることを特徴とする請求項９から１２までのいずれか一つに記載の装置。
【請求項１３】  排送路に沿って空にされたカートン（２）を排送するための排送コンベヤ（７６）を備えている装置であって、排送コンベヤ（７６）に、排送路（７８）に沿って側方に設けられている少なくとも一つの摩擦要素、特にブラッシ部材（８２）が設けられており、これにより空にされたカートン（２）が起立している状態で排送路上を移動可能であるように構成されていることを特徴とする請求項９から１２までのいずれか一つに記載の装置。
【発明の詳細な説明】
【０００１】
【発明の属する技術分野】
本発明は、たばこ加工産業における棒状物品のための閉じられたカートンを自動的に開きかつ空にするための方法に関する。
【０００２】
更に、本発明は、たばこ加工産業における棒状物品のための閉じられているカートンを自動的に開きかつ空にするための装置に関する。
【０００３】
【従来の技術】
このような装置は、日本国特許公開公報昭５６−第５２８８０号および昭５７−第２８６４０号から知られている。
【０００４】
これらの両特許公開公報にはそれぞれ、フイルタロッドが充填されているカートンが既に開かれている状態で収容部の供給コンベヤに載置されて持上げ装置に供給される点で、本質的な機能で一致している、相応した上記の様式の装置が開示されている。持上げ装置はそれぞれのカートンを収容部により旋回枠体内に持上げる。この旋回枠体はそれぞれのカートを空にするために１８０°旋回可能である。引続き倒立されたカートンが旋回枠体から押出され、従ってカートンは横置きの状態で排送するためのシュートを下方へと滑動する。
【０００５】
【発明が解決しようとする課題】
この公知の技術を基礎として、本発明の課題は、冒頭に記載した様式の方法およびこの方法を実施するための装置を提供することである。
【０００６】
【課題を解決するための手段】
上記の課題は、たばこ加工産業における棒状物品のための閉じられているカバーを備えているカートンを自動的に開きかつ空にするための方法において、本発明により、以下の方法行程、即ち
−閉じられているカートンをこのカートンのための持上げ装置の収容部内に移しかえるこ  と、
−閉じられているカートンを自動的に開くこと、
−開かれたカートンを持上げ装置により持上げること、
−開かれたカートンを持上げ装置から旋回枠体に引渡すこと、
そして
−開かれたカートンをこのカートンを空にするため旋回枠体内で約１８０°旋回させるこ  との
方法行程によって解決される。
【０００７】
更に、本発明による他の構成により、閉じられているカートンは持上げ装置の内に移しかえる以前に閉じられているカートンの列から単離される。
【０００８】
また本発明による他の構成により、カートンは側方のフラップを備えたカバーを有しており、このフラップは、カートンが閉じられている際、以下の方法行程、即ち
−閉じられているカートンを、カバーを自動的に開く際に、開くこと
および
−カバーが開く際にカートンの側壁から引出されるフラップを自動的に約１８０°旋回させ  る
方法行程により、このカートンの側壁内に差し込まれる。
【０００９】
更に本発明による構成により、更なる以下の方法行程、即ち
−空になったカートンは旋回枠体内で約１８０°旋回されて戻され、
かつ
−空になったこのカートンは旋回枠体から起立した状態で取出し排送される。
【００１０】
上記の課題は、本発明による、たばこ加工産業における棒状物品のための閉じられてかつ開じ部分を備えている、カートンを自動的に開きかつ空にするための装置において、この装置がカートンのカバーを吸引しかつ開らくための、カートンのための移送路に所属しているサクション装置を備えていることによって解決される。
【００１１】
上記の構成の利点は、カートンのカバーが自動的に開かれることにより、手による開きを行わなくて済むことである。
【００１２】
カバーとしての開き部分が一方の側においてその都度のカートンと旋回可能に結合されている、特にカートンにとって適切な本発明による有利な構成により、サクション装置が設けられており、このサクション装置がカバーをその閉じられている状態で捕捉されている第一の位置から、このカバーを開くために、このカバーを保持する第二の位置にカバーと共に約１８０°旋回可能であるように構成されている。このようにして、カバーは完全にこのカバーによって閉じられるカートンの開口の面の外側に存在し、これによりカバーはこの開口へのアクセスを全く妨げない。このことは特に、この開口を少なくとも一時的にあらためて閉じるために、その際空いた開口上にナイフを一時的に旋回させる際に特に有利である。
【００１３】
他の有利な構成により、カートンのための収容部の側において−この側にサクション装置によりカバーも旋回される−板ばねが設けられており、この板ばねはその一端に肉厚部を備えており、カバーはサクション装置により旋回して上げられた際、この肉厚部の後方に係止する。このようにして、カバーは１８０°旋回された位置にとどまることが保証される。カバーを保持するためのこの板ばねは、特にカートンを空にするために、持上げ装置内の収容部と共に旋回枠体の方向で上方へと移動する。しかし、この板ばねは不動に形成されていもよい。
【００１４】
本発明による構成にあっては、板ばねとして形成されている保持装置がサクション装置の領域内において、カバーを第二の位置に保持するために、このカバーを第二の位置内においてこの位置に停留可能であるように設けられている。
【００１５】
カートンのためのカバーにとって特に適切な、これらのカバーが閉じられている状態においてカートンの側壁に差込まれるフラップを備えている様式の、本発明による他の構成にあっては、上記のカバーが開いた際、カートンの側壁から引出されたフラップの各々は自動的に１８０°旋回される。このようにして、フラップに関して、このフラップがカートンを空にすることの処理、もしくは−例えば開口を一時的に閉じるための上記したナイフにより−他の処理を行うことを妨げない。この際、旋回レバーが設けられており、この旋回レバーがカバーが開かれている際にフラップの少なくとも一つと接触し、これにより少なくとも一つのフラップがカートンから離間する方向で旋回するように構成されているのが有利である。この際、旋回レバーはフラップを積極的に旋回させる、或いはこの旋回レバーは、カートンの移送路内においてフラップが自動的に旋回レバー方向に走り、これにより後方へと押圧されるように設けられていることにより受動的に働く。
【００１６】
フラップを備えている上記のカバーにあって更に、これらのカバーが持上げ装置による持上げ行程の間でも再び旋回してカバーの方向に戻らないようにするために、本発明による他の構成にあっては、持上げ装置はカートンのための側方の案内部を備えており、この案内部はその都度のカートンに対して間隔をもって、これらの案内部が旋回レバーにより旋回された少なくとも一つのフラップが、持上げ装置によりカートンが持上げられている間、これらのフラップが少なくとも旋回の旋回レバーにより起因されるそれらの旋回の度合いを維持するように、カートン方向に押圧されるように設けられている。このようにして、この構成にあっては、その都度のフラップは持上げ行程の間でも再び元の位置に、即ち支障をきたす位置に戻ることはない。
【００１７】
本発明による他の構成にあっては、閉じられているカートンを収容部へ供給するために供給コンベヤが設けられており、この供給コンベヤは第二のサクション装置とセンサとを備えており、これによりカートンは供給路上で捕捉され、カートンが捕捉された際、後続しているカートンはこのサクション装置により一時的に保持され、捕捉されたカートンはこの後続しているカートンから単離される。このようにして、その都度単離されたカートンのみが持上げ装置の収容部内に入込むことが保証される。
【００１８】
他の構成により、排送コンベヤはその排送路に沿って側方に少なくとも一つの摩擦要素、特にブラッシ部材を備えている。これらの摩擦要素は、比較的大きな重力を有している、空になったカートンが起立している状態で排送路上を排送されるように働く。このことはカートンの更なる処理を容易にする。
【００１９】
以下に添付した図面に図示した発明の実施の態様につき本発明を詳細に説明する。
【００２０】
【発明の実施の態様】
図１は、（図示していない）フイルタロッドのためのカートン２を開きかつ空らにするための本発明による装置１を示している。この装置１は脚部６を有している機枠４を備えている。この脚部６は一点鎖線で示した床８上に起立している。機枠４は装置１の以下に記載するすべての装置を担持している。
【００２１】
カートン２は、供給コンベヤとして働きかつカートン２のための側方案内部１２を備えている供給コンベヤ１０に載って、持上げ装置１４方向に移送される。この目的のため、この供給コンベヤ１０はモータ１６により駆動ホイール１８と転向ローラ２０とを介して駆動される。カートン２は、供給コンベヤ１０上で垂直な位置に立っている。
【００２２】
カートン２は、このカートン２のための収容部２２に到達する直前に、図示していないセンサがカートン２がサクション装置２４を通過したことを確認すると直ちに、図示していない真空装置と結合されているサクション装置２４により吸着される。この吸着作用のため、サクション装置２４はカートン２の方向に移動可能なサクション突起２６を有している。このサクション突起２６を有しているこのサクション装置２４と固持位置に存在しているカートン２とは、図１の部分Ａとして、図３ａにもう一度拡大図で示されている。この場合、カートン２の供給コンベヤ１０上での起立した状態を示すために、供給コンベヤ１０の側方案内部１２は一部破断して示されている。
【００２３】
図２は、部分Ａ内における、サクション装置２４とサクション突起２６とを正面図で示している。図２のこの部分Ａも図３ｂに拡大図で示してある。
【００２４】
部分Ａに従って固持されているカートン２に先行するカートン２は、サクション装置２４により単離された後、収容部２２の保持板２８方向にコンベヤベルト１０により駆動されることにより、この収容部２２内に収容される。図２の正面図が示しているように、コンベヤベルト１０は二つの部分から成る。このようにして、収容部２２は持上げ装置１４によりカートン２と共にこのコンベヤベルト１０の移送面を横切って持上げられることが可能となる。この目的のため、持上げ装置１４はアーム３０を備えており、このアーム上でカートン２は収容部２２内で横置きとなる。
【００２５】
持上げ装置１４、即ちアーム３０によりカートン２が持上げられる以前に、カートン２のカバー３２はサクション装置３４により開かれる。このサクション装置３４は図１の部分Ｃから認められるし、また図１の部分Ｃを示している相当する図５ａからも認められる。図５ｂは、図２の正面図からも認められる部分Ｃの相当する側面図を示している。サクション装置３４は同様にカートン２のカバー３２に接触しかつ持上げるためのサクション突起３６を備えている。図５による軸３８を中心として旋回可能なサクション装置３４により、カートン２のカバー３２は１８０°旋回して図５ａにおいて鎖線で示した位置４０に入ることが可能である。
【００２６】
図４において、サクション装置３４により旋回して上げられたカバー３２は、カバー３２がサクション装置３４により位置４０に旋回された際、この板ばね４４が弾性的に跳ね戻ることにより、板ばね４４の端部４２に設けられている突起４６によって保持される。      【００２７】
図５ｂは、突起４６並びに板ばね４４が二つの部分から形成されていることを示している（図５ｂのカートン２の後方の鎖線を参照されたい）。
【００２８】
カバー３２は、更にカートン２の側壁５０内に差込まれているフラップ４８を備えている。サクション装置３４によりカバー３２が開かれた際、このフラップ４８はカートン２の側壁５０から引出される。カバー３２の旋回行程とこのカバー３２の板ばね４４の突起４６の下方の、図５ａにおいて参照照符号４０で示した位置への係入の後、カバー３２は線５２に従って上方へと突出する。線５２に従って突出したフラップを参照符号４０で示した開かれているカバー３２の面の下方で押圧するために、レバー５４が設けられている。このレバー５４はピン５６を備えており、このピンは線５２に従って上方へと突出しているフラップ４８のための掛け止めフックとして働く。このレバー５４は軸５８を中心にして旋回可能に板６０に固定されている。このレバー５４によりフラップ４８は、図５ｂにおいて鎖線で示した線６２に従って受動的に旋回可能である。即ち、このレバー５４は受動的にのみフラップ４８に作用する。
【００２９】
このようにして開かれたカートン２は引続き、持上げ装置１４により旋回枠体６４内に持上げられ、そこでカートン２はアングル保持体６６により保持される。このアングル保持体６６は、図１と図２の部分Ｄに従って、図６ａと図６ｂに拡大して示されている。この場合、側方の案内部９０は、フラップ４８がスナップ止めが解かれて再び戻されるのを阻止する。何故なら、これらの案内部９０の相互の間隔が、レバー５４により一度下へと押圧されたフラップ４８がカートン２が持上げられる際これらの案内部９０の傍らを擦過するように設定されているからである。
【００３０】
その後、図１と図２の部分Ｅに従って旋回枠体６４内において上方からアングル材６８と７０とにより保持されているカートン２は（図７ａと図７ｂを参照されたい）、図１において鎖線で示した位置７２に旋回される。この位置７２において、カートン２は収容部２２内のカートン２の位置に対して約１８０°旋回され、これによりカートン２の内容物であるフイルタロッドがこれらのフイルタロッドのための物質流としての収容部７４内に注がれる。
【００３１】
次いで、空にされたカートン２は再び約１８０°旋回して戻され、従って図１と図２の部分Ｆに従って図８ａと図８ｂに拡大して示した取去り装置７６は、カートン２を旋回枠体６４から取出し、排送路７８に載せて排送する。この排送路７８は同様に側方の案内部８０を備えている。この側方の案内部８０には更に、カートン２を側壁５０に接触させ、カートンをこれが空になって重心が高くなったにもかかわらず起立した状態に保持するブラッシ８２が設けられている。取去り装置７６は液圧部材８４によって作動される。
【００３２】
【発明の効果】
本発明による方法および装置により、たばこ加工産業における棒状物品、例えばフイルタロッドが充填されているカートンが円滑に開けられ、かつ充填されてフイルタロッドが空けられる。
【図面の簡単な説明】
【図１】
たばこ加工産業における棒状物品のためのカートンを開けかつ空にする本発明による装置の側面図である。
【図２】
図１による実施の態様の正面図である。
【図３】
ａは図１の部分Ａの詳細図であり、ｂは図２の部分Ａの詳細図である。
【図４】
ａは図１の部分Ｂ詳細図であり、ｂは図２の部分Ｂの詳細図である。
【図５】
ａは図１の部分Ｃの詳細図であり、ｂは図２の部分Ｃの詳細図である。
【図６】
ａは図１の部分Ｄの詳細図であり、ｂは図２の部分Ｄの詳細図である。
【図７】
ａは図１の部分Ｅの詳細図であり、ｂは図２の部分Ｅの詳細図である。
【図８】
ａは図１の部分Ｆの詳細図であり、ｂは図２の部分Ｆの詳細図である。
【符号の説明】
１  本発明による装置
２  カートン
１０  供給コンベヤ
１２  側方案内部
１４  持上げ装置
２０  転向ローラ
２２  収容部
２４  サクション装置
２６  サクション突起
３０  アーム
３２  開き部分としてのカバー
３４  サクション装置
３６  サクション突起
３８  軸線
４０  位置
４４  板ばね
４８  フラップ
５０  側壁
５２  線
５４  レバー
５６  ピン
６０  板
６８  アングル部材
７０  アングル部材
７２  位置
７４  収容部
７６  取去り装置
７８  排送路
８０  側方の案内部
８２  ブラッシ
８４  液圧部材